(57)【要約】  互いに対して相対的に摺動可能に支持された少なくとも２つのレール（１，２）であって、少なくとも１つのレール（１，２）に、レール（１，２）の長手方向（ＬＲ）に延在する走行面（３）が配置されている、レール（１，２）と、レール（１，２）の間に配置された、荷重を伝達する少なくとも１つの転動体（４）であって、レール（１，２）の相対移動に際して走行面（３）に沿って可動に支持されている、転動体（４）と、を備える、引出し用引出しガイド（１００）において、レール（１，２）の走行面（３）は、少なくとも１つの転動体（４）を側方で案内する、長手方向（ＬＲ）に延在する少なくとも１つの第１のガイドウェブ（５）を有する。
2019511327.tif 000002
【特許請求の範囲】
【請求項１】
引出し用引出しガイド（１００）であって、
互いに対して相対的に摺動可能に支持された少なくとも２つのレール（１，２）であって、少なくとも１つのレール（１，２）に、前記レール（１，２）の長手方向（ＬＲ）に延在する走行面（３）が配置されている、レール（１，２）と、
前記レール（１，２）の間に配置された、荷重を伝達する少なくとも１つの転動体（４）であって、前記レール（１，２）の相対移動に際して前記走行面（３）に沿って可動に支持されている、転動体（４）と、
を備える、引出し用引出しガイド（１００）において、
前記レール（１，２）の前記走行面（３）は、前記少なくとも１つの転動体（４）を側方で案内する、長手方向（ＬＲ）に延在する少なくとも１つの第１のガイドウェブ（５）を有することを特徴とする、引出し用引出しガイド（１００）。
【請求項２】
前記少なくとも１つの転動体（４）は、側方で前記ガイドウェブ（５）に当接するように構成された端面（７）を有することを特徴とする、請求項１記載の引出し用引出しガイド。
【請求項３】
前記第１のガイドウェブ（５）に対して平行に延在する第２のガイドウェブ（６）が設けられており、前記少なくとも１つの転動体（４）は、好ましくは側方の遊びを有して、両方の前記ガイドウェブ（５，６）の間に案内されていることを特徴とする、請求項１または２記載の引出し用引出しガイド。
【請求項４】
前記転動体（４）は、側方で前記第２のガイドウェブ（６）に当接するように構成された第２の端面（８）を有することを特徴とする、請求項３記載の引出し用引出しガイド。
【請求項５】
前記転動体（４）は、円筒形の側面を有することを特徴とする、請求項１から４までのいずれか１項記載の引出し用引出しガイド。
【請求項６】
前記少なくとも１つの走行面（３）は、前記レール（１，２）とともに一体的に形成されていることを特徴とする、請求項１から５までのいずれか１項記載の引出し用引出しガイド。
【請求項７】
前記少なくとも１つの走行面（３）は、前記少なくとも１つのレール（１，２）に取り付けるための取付け部分（９）を有することを特徴とする、請求項１から５までのいずれか１項記載の引出し用引出しガイド。
【請求項８】
前記ガイドウェブ（５，６）のうちの少なくとも１つのガイドウェブは、前記走行面（３）とともに一体的に形成されていることを特徴とする、請求項１から７までのいずれか１項記載の引出し用引出しガイド。
【請求項９】
前記少なくとも１つの走行面（３）は、前記少なくとも１つのレール（１，２）とは別の材料により形成されることを特徴とする、請求項７または８記載の引出し用引出しガイド。
【請求項１０】
前記少なくとも１つの転動体（４）は、ローラ軸線（ＲＡ）を有し、前記引出し用引出しガイド（１００）の組込み位置で、略水平のローラ軸線（ＲＡ）を有する転動体（４）だけが使用されることを特徴とする、請求項１から９までのいずれか１項記載の引出し用引出しガイド。
【請求項１１】
前記少なくとも１つの転動体（４）は、走行面幅（ＬＢ）にほぼ一致する転動体幅（ＷＢ）を有することを特徴とする、請求項１から１０までのいずれか１項記載の引出し用引出しガイド。
【請求項１２】
前記少なくとも１つの転動体（４）は、前記転動体幅（ＷＢ）全体の好ましくは０．６〜０．９９倍、特に好ましくは０．８５〜０．９６倍である載置幅（ＡＢ）を有する円筒形の部分を備えることを特徴とする、請求項１１記載の引出し用引出しガイド。
【請求項１３】
前記ガイドウェブ（５，６）の高さ（ＨＦ）は、前記転動体（４）の直径（ＤＷ）の少なくとも５％に及ぶことを特徴とする、請求項１１または１２記載の引出し用引出しガイド。
【請求項１４】
前記ガイドウェブ（５，６）の高さ（ＨＦ）は、前記転動体（４）の直径（ＤＷ）の最大で３０％に及ぶことを特徴とする、請求項１３記載の引出し用引出しガイド。
【請求項１５】
前記走行面（３）と前記ガイドウェブ（５，６）との間の移行部において、前記ガイドウェブ（５，６）に対して平行に位置する切込み（１０）が延在することを特徴とする、請求項１から１４までのいずれか１項記載の引出し用引出しガイド。
【請求項１６】
請求項１から１５までのいずれか１項記載の引出し用引出しガイド（１００）を備える引出し（１０１）。
【請求項１７】
請求項１６記載の引出し（１０１）を備える家具（１０３）。
【発明の詳細な説明】
【技術分野】
【０００１】
本発明は、請求項１の上位概念に記載の構成を有する引出し用引出しガイドに関する。さらに、本発明に係る引出し用引出しガイドを備える引出しおよび家具が提供されるべきである。
【背景技術】
【０００２】
冒頭で述べた態様の引出し用引出しガイドは、すでに従来技術に含まれており、たとえば国際公開第２０１４／０７１４２５号に開示されている。引出し用引出しガイドは、たいてい、その縦長の極めて狭い構造に基づき、ねじれおよびねじ曲げに対する安定性がある程度不足している。これは、たとえば転動体によって補償される。転動体は、水平に、また鉛直にも支持されていて、力を１つのレールから隣のレールへ伝達し、その際、一方のレールは、引出しと固く結合されていて、他方のレールは、家具本体と結合されている。ゆえに、たとえばレールにおける、相互に角度を成して配置された複数の面には、１つまたは複数の転動体が装着され、これにより、ある程度のねじれおよびねじ曲げに対する安定性を形成することができる。この場合、鉛直方向に延在するローラ軸線を有する転動体、いわゆるスペーサローラが多くのスペースを占め、狭い構造と称されるコンパクトな構造を形成することがもはや不可能であるという問題が生じる。引出し用引出しガイドの横断面の寸法は、いわば付加的に、鉛直方向に配置されたスペーサローラに基づき、少なくともこのスペーサローラの直径に合わせて適合されなければならない。加えて、付加的なスペーサローラは、転動の騒音と付加的な転動抵抗とを発生させる。さらに、スペーサローラが摩耗するにつれ、引出し用引出しガイドは、ねじ曲げ強度またはねじれ強度に関して不安定になる。ねじれに対する支持に、ローラだけではなく玉、転動体またはそれに類するものも使用されるが、これにより、互いに対して可動に支持されたレールの、形成されるねじれ強度が不足する。
【発明の概要】
【発明が解決しようとする課題】
【０００３】
本発明の課題は、前述の欠点を回避し、従来技術に対して改善された引出し用引出しガイドを提供することである。
【課題を解決するための手段】
【０００４】
この課題は、独立請求項１、１６および１７の特徴によって解決される。
【０００５】
レールの走行面が、少なくとも１つの転動体を側方で案内するための、長手方向に延在する少なくとも１つの第１のガイドウェブを有していると、転動体が側方に傾倒するおそれがない。転動体は、一方でその周面でもって、走行面に沿って延在する。この場合、引出しの重力は、転動体により周面で受け止められる。転動体は、さらに側方でもガイドウェブに接触し、ガイドウェブは、複数のレールのうちの１つのレールと、またはそのレールに配置された走行面と結合されている。ゆえに、転動体は、水平のローラ軸線からの傾倒に対して安定化される。転動体のこの強制的な案内により、レールが互いに対して相対的にねじ曲がるまたはねじれるおそれがない。さらに、転動体は、ガイドウェブに対する接触に基づき、ローラ軸線の方向での移動が制限または遮断されている。引出し用引出しガイドの長手方向軸線に対して横方向の転動体の移動は不可能である。
【０００６】
本発明のさらなる詳細および利点は、従属請求項に基づき開示される。
【０００７】
以下、本発明のさらなる詳細および利点を、図示された実施例に関する図面の説明に基づいて詳説する。
【図面の簡単な説明】
【０００８】
【図１】従来技術を示す。
【図２】走行面とレールとを一体的に有する引出し用引出しガイドの断面図である。
【図３】転動体と走行面とを詳細に示す。
【図４】転動体と保持器と走行要素とを示す。
【図５】独立した走行要素を有する引出し用引出しガイドの断面図である。
【図６】図５の詳細図である。
【図７】家具に設けられた、引出し用引出しガイドを有する引出しを示す。
【発明を実施するための形態】
【０００９】
図１は、従来技術を示す。レール１，２は、転動体４とスペーサローラ４０とを介して相互に可動に結合されている。転動体４は、いわゆるころとして、引出し１０１の、生じる重力を周面で受け止める。鉛直のローラ軸線ＲＡｖを有する、鉛直方向に向けられたスペーサローラ４０は、引出し用引出しガイド１００に沿って、ねじ曲げおよびねじれに際して生じる力を受け止め、レール１をレール２に対して支持する。鉛直方向に延在するローラ軸線ＲＡｖを有するスペーサローラ４０に基づき、スペーサローラ４０に対するスペースを形成するために、引出し用引出しガイド１００は、幅広に構成しなければならない。加えて、図１は、鉛直のローラ軸線ＲＡｖを有するスペーサローラ４０が幅広に寸法付けられた転動領域を有することを示している。これにより、引出し用引出しガイド１００の移動時における付加的な騒音の発生または引出し用引出しガイド１００の走行特性の阻害がもたらされてしまうおそれがある。
【００１０】
図２は、レール１，２の間に配置された、ころとしての転動体４を有する引出し用引出しガイド１００の１つの実施例を示す。本実施例では、レール１，２は、走行面３を有している。レール１，２の走行面３は、引出し用引出しガイド１００の長手方向ＬＲに延在する第１のガイドウェブ５をさらに有しており、第１のガイドウェブ５は、少なくとも１つの転動体４を側方で案内する。少なくとも１つの転動体４は、端面７をさらに有しており、端面７は、ガイドウェブ５に側方で当接するように構成されており、ガイドウェブ５に、レール１，２の相対移動の間に少なくとも部分的に接触する。第１のガイドウェブ５に対して平行に延在する第２のガイドウェブ６も設けられている。この場合、転動体４は、２つのガイドウェブ５，６の間にある程度の側方の遊びを有して位置する。したがって、転動体４も、ガイドウェブ６に当接する第２の端面８を有しており、第２の端面８は、レール１，２の相対移動に際して第２のガイドウェブ６に少なくとも部分的に接触する。少なくとも１つのガイドウェブ５，６に少なくとも１つの端面７，８が当接することにより、転動体４の傾倒が阻止される。さらに、転動体４は、ローラ軸線ＲＡの方向に摺動するおそれがない。なぜなら、転動体４は、ガイドウェブ５，６によって強制的に案内されているからである。図２において、走行面３がレール１によっても構成されることがさらに見て取れる。したがって、走行面３は、レール１，２自体により、または独立した要素により構成されていてよい。図３は、走行面３に埋設された転動体４を示す。転動体４は、略円筒形の側面を有している。たとえば樽状のまたは超楕円の横断面などの別の側面も考えられる。ガイドウェブ５，６は、本実施例では、トーラス状に形成されていて、このようにして端面７，８に対する接触を必要最小限に低減する。というのも、ガイドウェブ５，６は、１点でのみ端面７，８に接触して、面状には接触しないからである。ガイドウェブ５，６と端面７，８との間の接触が大きな面積で行われるとなると、転動体４の転動時にこの領域に望ましくない摩擦が生じることになり、これは、引出し用引出しガイド１００の滑らかな走行および長期使用を不都合に阻害することになり得る。滑らかな走行および長期使用をさらに改善するために、走行面３とガイドウェブ５，６との間の移行部に、ガイドウェブ５，６に対して平行に位置する切込み１０が延在することが規定されている。この切込み１０は、転動体４の周面側の走行面と端面７，８との間の移行部における摩擦を低減する。この領域におけるシャープな縁の移行部は、転動体４の傾斜を引き起こすおそれがあり、これは、引出し用引出しガイド１００の走行移動の停止または阻害を招いてしまうだろう。さらに、転動体４は、周面と端面７，８との間の移行部において、斜面により丸み付けられているかまたは面取りされている。少なくとも１つの転動体４が、組込み位置で水平に延在するローラ軸線ＲＡを有することも見て取れる。少なくとも１つの転動体４が、走行面幅ＬＢにほぼ相当する転動体幅ＷＢを有することが示されている。したがって、転動体４は、ローラ軸線ＲＡの軸方向に移動することができず、ガイドウェブ５，６によってその位置で保持される。走行面幅は、相互に平行に延在するガイドウェブ５，６の間隔により規定される。少なくとも１つの転動体は、転動体幅ＷＢの好ましくは０．６〜０．９９倍、特に好ましくは０．０８〜０．９５倍である載置幅ＡＢを有している。したがって、転動体４の走行面と転動体４の端面７，８との間に面取り部、斜面または段部が形成される。これらは、転動体４の滑らかな走行に有利な影響を及ぼす。ガイドウェブ５，６の高さＨＦは、転動体４の直径ＤＷの少なくとも５％に及ぶ。高さＨＦは、直径ＤＷの最大で３０％に及ぶ。したがって、十分な側方ガイドが保証され、それにもかかわらず端面７，８における摩擦抵抗が小さく保持される。
【００１１】
図４は、少なくとも１つの転動体４を保持する保持器１１を示す。さらに、本実施例において、走行面３が独立した要素によってどのように構成されるのかが示されている。走行面３は、取付け部分９により、レール１，２と結合される。その際、結合は、接着、リベット止め、または力結合もしくは材料結合である別の形態により行われる。さらに、走行面３は、そのために設けられた、レール１，２における凹部または凸部に容易に装着することが可能であり、その際に、形状結合が生じる。図４には、複数の走行要素１３，１４，１５，１６が示されている。これらの走行要素は、走行面３を形成する。保持器１１は、主に上下に位置する２つの列を有する。上側の列には、少なくとも１つの上側の転動体４が設けられており、下側の列には、少なくとも１つの下側の転動体４が設けられている。各々の転動体４は、上側の走行面３と下側の走行面３も必要とし、これらの走行面は、上側の転動体４に対しては、上側の走行要素１３と中央の走行要素１４とにより形成される。下側の転動体４はその上面でもって中間走行要素１５に接触し、その下面でもって下側の走行要素１６に接触する。少なくとも１つの上側の転動体４は、保持器１１の上側の列で、引出し１０１の重力を受け止める。引出し用引出しガイド１００が引き出されると、この保持器１１の下側の列に位置する転動体４は、引き出されたレール１，２または引き出された引出し用引出しガイド１００と引出し１０１の重量とにより形成される傾倒モーメントを受け止める。引出し移動の間、ガイドウェブ５，６を介して、ローラ軸線ＲＡの方向での転動体４の逸脱が阻止される。
【００１２】
図５は、引出し用引出しガイド１００の１つの実施例を断面図で示す。上側の走行要素１３、中央の走行要素１４、中間走行要素１５および下側の走行要素１６の位置は、レール１，２の配置に依存する。レール１，２がＣ字形に形成されていて、相互に内外に係合していることが見て取れる。走行面３が、それぞれ異なる走行要素１３，１４，１５，１６による構成に基づき、少なくとも１つのレール１，２とは別の材料により形成されることが規定されている。この場合、たとえばレール１，２の材料よりも硬質の材料を使用することができる。より硬質の材料により、引出し用引出しガイド１００のより長い耐用期間が保証される。たとえばプラスチックなどのより軟質の材料が使用されると、これは、引出し用引出しガイド１００の滑らかな走行に対して有利に作用し得る。主として、走行要素１３，１４，１５，１６の材料特性は、転動体４の材料特性に適合させなければならない。さらに、少なくとも１つの転動体４がローラ軸線ＲＡを有しており、この場合、引出し用引出しガイド１００の組込み位置で略水平のローラ軸線ＲＡを有する転動体４だけが使用されることが規定されている。図１において従来技術として示されたような鉛直のローラ軸線ＲＡｖが除かれており、鉛直方向に延在するスペーサローラ、ねじれ強度に役立つはずの安定化体または支持体が存在しない。これらは、走行要素１３，１４，１５，１６のガイドウェブ５，６により形成される。さらに、複数のガイドウェブ５，６のうちの少なくとも１つのガイドウェブ５，６が走行面３とともに一体的に構成されていることが規定されてよい。
【００１３】
図６は、図５の詳細Ａを示す。走行要素１３，１４，１５，１６の走行面３に転動体４がどのように位置決めされているのかが明らかである。走行要素１３，１４，１５，１６は、取付け部分９を介して、レール１，２と結合されている。別のレールを使用することが考えられる。たとえば、完全引出し−引出し用引出しガイド１００に対する中央レールが設けられてもよい。この場合、追加の転動体４と、ガイドウェブ５，６を有する追加の走行面３が必要である。
【００１４】
図７は、家具１０３の家具本体１０２に取り付けられた、本発明に係る引出し用引出しガイド１００を備える、長手方向ＬＲに沿って可動の引出し１０１を示す。
【符号の説明】
【００１５】
１  レール
２  レール
３  走行面
４  転動体
５  第１のガイドウェブ
６  第２のガイドウェブ
７  第１の端面
８  第２の端面
９  取付け部分
１０  切込み
１１  保持器
１３  上側の走行要素
１４  中央の走行要素
１５  中間走行要素
１６  下側の走行要素
１００  引出し用引出しガイド
１０１  引出し
１０２  家具本体
１０３  家具
ＲＡ  ローラ軸線
ＷＢ  転動体幅
ＡＢ  載置幅
ＬＢ  走行面幅
ＨＦ  高さ（ガイドウェブ）
ＤＷ  転動体の直径
ＬＲ  長手方向
【図１】
2019511327.tif 000003
【図２】
2019511327.tif 000004
【図３】
2019511327.tif 000005
【図４】
2019511327.tif 000006
【図５】
2019511327.tif 000007
【図６】
2019511327.tif 000008
【図７】
2019511327.tif 000009
【手続補正書】
【提出日】平成30年12月12日(2018.12.12)
【手続補正１】
【補正対象書類名】特許請求の範囲
【補正対象項目名】全文
【補正方法】変更
【補正の内容】
【特許請求の範囲】
【請求項１】
引出し用引出しガイド（１００）であって、
互いに対して相対的に摺動可能に支持された少なくとも２つのレール（１，２）であって、少なくとも１つのレール（１，２）に、前記レール（１，２）の長手方向（ＬＲ）に延在する走行面（３）が配置されている、レール（１，２）と、
前記レール（１，２）の間に配置された、荷重を伝達する少なくとも１つの転動体（４）であって、前記レール（１，２）の相対移動に際して前記走行面（３）に沿って可動に支持されている、転動体（４）と、
を備え、
前記レール（１，２）の前記走行面（３）は、前記少なくとも１つの転動体（４）を側方で案内する、長手方向（ＬＲ）に延在する少なくとも１つの第１のガイドウェブ（５）を有する、引出し用引出しガイド（１００）において、
前記少なくとも１つの転動体（４）は、前記少なくとも１つの第１のガイドウェブ（５）に１点でのみ接触することを特徴とする、引出し用引出しガイド（１００）。
【請求項２】
前記少なくとも１つの転動体（４）は、側方で前記ガイドウェブ（５）に当接するように構成された端面（７）を有することを特徴とする、請求項１記載の引出し用引出しガイド。
【請求項３】
前記第１のガイドウェブ（５）に対して平行に延在する第２のガイドウェブ（６）が設けられており、前記少なくとも１つの転動体（４）は、好ましくは側方の遊びを有して、両方の前記ガイドウェブ（５，６）の間に案内されていることを特徴とする、請求項１または２記載の引出し用引出しガイド。
【請求項４】
前記転動体（４）は、側方で前記第２のガイドウェブ（６）に当接するように構成された第２の端面（８）を有することを特徴とする、請求項３記載の引出し用引出しガイド。
【請求項５】
前記転動体（４）は、円筒形の側面を有することを特徴とする、請求項１から４までのいずれか１項記載の引出し用引出しガイド。
【請求項６】
前記少なくとも１つの走行面（３）は、前記レール（１，２）とともに一体的に形成されていることを特徴とする、請求項１から５までのいずれか１項記載の引出し用引出しガイド。
【請求項７】
前記少なくとも１つの走行面（３）は、前記少なくとも１つのレール（１，２）に取り付けるための取付け部分（９）を有することを特徴とする、請求項１から５までのいずれか１項記載の引出し用引出しガイド。
【請求項８】
前記ガイドウェブ（５，６）のうちの少なくとも１つのガイドウェブは、前記走行面（３）とともに一体的に形成されていることを特徴とする、請求項１から７までのいずれか１項記載の引出し用引出しガイド。
【請求項９】
前記少なくとも１つの走行面（３）は、前記少なくとも１つのレール（１，２）とは別の材料により形成されることを特徴とする、請求項７または８記載の引出し用引出しガイド。
【請求項１０】
前記少なくとも１つの転動体（４）は、ローラ軸線（ＲＡ）を有し、前記引出し用引出しガイド（１００）の組込み位置で、略水平のローラ軸線（ＲＡ）を有する転動体（４）だけが使用されることを特徴とする、請求項１から９までのいずれか１項記載の引出し用引出しガイド。
【請求項１１】
前記少なくとも１つの転動体（４）は、走行面幅（ＬＢ）にほぼ一致する転動体幅（ＷＢ）を有することを特徴とする、請求項１から１０までのいずれか１項記載の引出し用引出しガイド。
【請求項１２】
前記少なくとも１つの転動体（４）は、前記転動体幅（ＷＢ）全体の好ましくは０．６〜０．９９倍、特に好ましくは０．８５〜０．９６倍である載置幅（ＡＢ）を有する円筒形の部分を備えることを特徴とする、請求項１１記載の引出し用引出しガイド。
【請求項１３】
前記ガイドウェブ（５，６）の高さ（ＨＦ）は、前記転動体（４）の直径（ＤＷ）の少なくとも５％に及ぶことを特徴とする、請求項１１または１２記載の引出し用引出しガイド。
【請求項１４】
前記ガイドウェブ（５，６）の高さ（ＨＦ）は、前記転動体（４）の直径（ＤＷ）の最大で３０％に及ぶことを特徴とする、請求項１３記載の引出し用引出しガイド。
【請求項１５】
前記走行面（３）と前記ガイドウェブ（５，６）との間の移行部において、前記ガイドウェブ（５，６）に対して平行に位置する切込み（１０）が延在することを特徴とする、請求項１から１４までのいずれか１項記載の引出し用引出しガイド。
【請求項１６】
請求項１から１５までのいずれか１項記載の引出し用引出しガイド（１００）を備える引出し（１０１）。
【請求項１７】
請求項１６記載の引出し（１０１）を備える家具（１０３）。
【国際調査報告】
2019511327.tif 000010
2019511327.tif 000011
2019511327.tif 000012
2019511327.tif 000013